【事件の表示】
　特願２００６−５０２０２６「着色微粒子組成物及びパーソナルケア製品におけるそれらの使用」拒絶査定不服審判事件〔平成１６年　９月１０日国際公開、ＷＯ２００４／０７５６７９、平成１８年８月２４日国内公表、特表２００６−５１９２１１〕について、次のとおり審決する。
【結　論】
　本件審判の請求は、成り立たない。
【理　由】
第１　手続の経緯
　この出願（以下、「本願」という。）は、２００４年２月１６日（優先権主張　２００３年２月２６日　米国）を国際出願日とする出願であって、以降の手続の経緯は以下のとおりである。
　
平成１９年２月１４日　　　　手続補正書
平成２０年１２月２２日付け　拒絶理由通知
平成２１年４月２７日　　　　意見書、手続補正書
平成２１年５月２０日付け　　拒絶査定
平成２１年９月４日　　　　　審判請求書
平成２１年９月４日　　　　　手続補正書
平成２１年１０月２７日付け　前置審査移管
平成２２年１月２９日付け　　前置報告書
平成２２年２月５日付け　　　前置審査解除
平成２３年９月１４日付け　　審尋
平成２３年１２月２１日　　　回答書
　
　
第２　平成２１年９月４日付け手続補正書についての補正の却下の決定
１　本件補正
　平成２１年９月４日付けの手続補正（以下、「本件補正」という。）は、本件補正前の特許請求の範囲の請求項１の
「マイクロカプセル化着色剤のブレンドを含むパーソナルケア若しくは化粧品組成物であって、前記マイクロカプセル化着色剤は１乃至５０ミクロンの粒子サイズを有し、
該マイクロカプセル化着色剤は、天然染料、合成染料、有機顔料、無機顔料をカプセル化したポリマーマトリクス物質に含み、
前記ポリマーマトリクス物質は、（メタ）アクリル酸、マレイン酸、無水マレイン酸、イタコン酸、無水イタコン酸、クロトン酸、（メタ）アリルスルホン酸、ビニルスルホン酸及び２−アクリルアミド−２−メチルプロパンスルホン酸からなる群から選択されるエチレン性不飽和アニオン性モノマーである第一モノマーと、スチレン、メチルメタクリレート、第三ブチルメタクリレート、フェニルメタクリレート、シクロヘキシルメタクリレート及びイソボルニルメタクリレートからなる群から選択されるエチレン性不飽和疎水性モノマーである第二モノマーを含むモノマーのブレンドから形成され、
及び、前記マイクロカプセル化着色剤のブレンドは赤色、黄色及び青色の原色より選択された少なくとも二色の互いに別個であるマイクロカプセル化着色剤のブレンドであるところの組成物。」
を
「マイクロカプセル化着色剤のブレンドを含むパーソナルケア若しくは化粧品組成物であって、
前記マイクロカプセル化着色剤は１乃至５０ミクロンの粒子サイズを有し、
該マイクロカプセル化着色剤は、天然染料、合成染料、有機顔料又は無機顔料をカプセル化したポリマーマトリクス物質に含み、
前記ポリマーマトリクス物質は、（メタ）アクリル酸である第一モノマーと、スチレンである第二モノマーを含むモノマーのブレンドから形成され、
及び、前記マイクロカプセル化着色剤のブレンドは赤色、黄色及び青色の原色より選択された互いに別個である少なくとも二色のマイクロカプセル着色剤のブレンドであるところの組成物。」
とする補正を含むものである。
　
２　補正の適否
（１）補正の目的の適否
　上記補正は、補正前の「（メタ）アクリル酸、マレイン酸、無水マレイン酸、イタコン酸、無水イタコン酸、クロトン酸、（メタ）アリルスルホン酸、ビニルスルホン酸及び２−アクリルアミド−２−メチルプロパンスルホン酸からなる群から選択されるエチレン性不飽和アニオン性モノマーである第一モノマー」及び「スチレン、メチルメタクリレート、第三ブチルメタクリレート、フェニルメタクリレート、シクロヘキシルメタクリレート及びイソボルニルメタクリレートからなる群から選択されるエチレン性不飽和疎水性モノマーである第二モノマー」について、それぞれ「（メタ）アクリル酸である第一モノマー」及び「スチレンである第二モノマー」と限定するものである。
　上記補正は、補正前の請求項１に記載された発明と産業上の利用分野及び解決しようとする課題が同一であり、補正前の請求項に記載された発明を特定するために必要な事項である「第一モノマー」及び「第二モノマー」について、それぞれ「（メタ）アクリル酸」、「スチレン」であると限定するものである。
　したがって、上記補正は、平成１８年法律５５号改正附則第３条第１項により、なお従前の例によるとされる同法による改正前の特許法第１７条の２第４項第２号に掲げる事項を目的とするものである。
　
　そこで、補正後の請求項１に記載された発明（以下、「本願補正発明」といい、本願の明細書を「本願明細書」という。）が、特許出願の際独立して特許を受けることができるものであるか否か（平成１８年改正前特許法第１７条の２第５項の規定に適合するか否か）、具体的には、本願補正発明が、本願出願前に頒布された刊行物に基づいて当業者が容易に発明をすることができたか否かについて、以下に検討する。
　
（２）刊行物に記載された事項
（ア）刊行物１に記載された事項
　本願の優先日前である２００２年１１月１４日に頒布された刊行物である国際公開０２／０９０４４５号（以下、「刊行物１」という。）には、以下の事項が記載されている。（なお、当審訳は、特表２００４−５３１６０９号公報による。）
　
（１ａ）「1. Polymeric particles comprising a polymeric matrix and colourant distributed throughout the matrix, wherein the polymeric matrix that has been formed from a blend of monomers comprising a first monomer which is an ethylenically unsaturated ionic monomer and a second monomer which is an ethylenically unsaturated hydrophobic monomer which is capable of forming a homopolymer of glass transition temperature in excess of 50℃, and in which the first monomer is a salt of a volatile counterion component, characterised in that the polymeric matrix is impermeable to the colourant.
・・・
  4. Polymeric particles according to any of claims 1 to 3 in which the polymeric particles have an average particle size of below 100 microns, preferably below 50 microns.
  5. Polymeric particles according to any of claims 1 to 4 in which the second monomer is selected from the group consisting of styrene, methyl methacrylate, acrylonitrile, tertiary butyl methacrylate, phenyl methacrylate, cyclohexyl methacrylate and isobornyl methacrylate.
  6. Polymeric particles according to any of claims 1 to 5 in which the first monomer is an ethylenically unsaturated carboxylic acid and the volatile counterion component is ammonia or a volatile amine.
  7. Polymeric particles according to any of claims 1 to 6 in which the matrix polymer is a copolymer of styrene with ammonium acrylate and ammonium zirconium carbonate is used as a cross-linking agent.
  8. Polymeric particles according to any of claims 1 to 7 in which the colourant is a dye, pigment or lake.
・・・
  19. A cosmetic composition comprising a cosmetically acceptable base and polymeric particles as defined by any of claims 1 to 8 or prepared by the process according to any of claims 9 to 18. 」（第１６〜１８頁）
（当審訳：
１．ポリマーマトリックス及びマトリックスの全体にわたって分配されている着色剤を含むポリマー粒子であって、ここでポリマーマトリックスは、エチレン性不飽和イオンモノマーである第１モノマーと５０℃超のガラス転移温度のホモポリマーを形成することができるエチレン性不飽和疎水性モノマーである第２モノマーとを含むモノマーのブレンドから形成されており、そして、第１モノマーは揮発性対イオン成分の塩であり、ポリマーマトリックスは着色剤に対して不浸透性であることを特徴とするポリマー粒子。
・・・
４．ポリマー粒子が、１００ミクロン未満、好ましくは５０ミクロン未満の平均粒度を有する、請求項１〜３のいずれか１項に記載のポリマー粒子。
５．第２モノマーが、スチレン、メチルメタクリレート、アクリロニトリル、ｔｅｒｔ−ブチルメタクリレート、フェニルメタクリレート、シクロヘキシルメタクリレート及びイソボルニルメタクリレートからなる群より選択される、請求項１〜４のいずれか１項に記載のポリマー粒子。
６．第１モノマーが、エチレン性不飽和カルボン酸であり、揮発性対イオン成分がアンモニア又は揮発性アミンである、請求項１〜５のいずれか１項に記載のポリマー粒子。
７．マトリックスポリマーが、スチレンとアクリル酸アンモニウムとのコポリマーであり、炭酸ジルコニウムアンモニウムが、架橋剤として用いられる、請求項１〜６のいずれか１項に記載のポリマー粒子。
８．着色剤が、染料、顔料又はレーキである、請求項１〜７のいずれか１項に記載のポリマー粒子。
・・・
１９．化粧用に許容される基材と、請求項１〜８のいずれか１項記載のポリマー粒子、又は請求項９〜１８のいずれか１項記載の方法によって製造したポリマー粒子を含む化粧用組成物。）
　
（１ｂ）「An objective of the present invention is to provide polymer entrapped colourants in which the colourant does not leach out even after prolonged use. Specifically it would be desirable to provide a process for entrapping solutions of dyes in polymeric particles for incorporation into cosmetic formulations and wherein the dyes remain permanently entrapped and are not released before during or after application.
 In addition encapsulation or entrapment of colourants can result in visual impairment of the colourant. This may be as a result of the polymer absorbing light from certain wavelengths or sometimes as a result of the irregular morphology of the polymer particles.
 In addition it is also an objective to provide an alternative method for converting oil soluble or water dyes into a product which can be used as a pigment in a variety of applications.
 Thus a further objective of the present is to provide polymer entrapped colourants which yield improved visual effects」（第４頁下から第５行〜第５頁第１０行）
（当審訳：本発明の目的は、長期間の使用後にも着色剤が浸出しない、着色剤を取り込んだポリマー提供することである。特に好ましくは、化粧料配合物に組み入れるためのポリマー粒子中に染料溶液を取り込む方法を提供することであり、この場合に、該染料は、永続的に取り込まれた状態であり、施用の前、中又は後に放出されない。
　さらに、着色剤のカプセル封入又は取り込みは、着色剤の視覚的な損傷を与える可能性がある。これは、ある一定の波長からの光をポリマーが吸収する結果、又は時にはポリマー粒子の不規則な形状の結果でありうる。
　さらに、多様な用途に顔料として用いることができる製品に、油溶性又は水性染料を変換する別法を提供することも、目的である。
　したがって、本発明の他の目的は、改良された視覚的効果を生じる着色剤取り込みポリマーを提供することである。）
　
（１ｃ）「Generally the average particle size diameter of the particles is less than about 100 microns. Usually the average particle size diameter tends to be smaller, for instance less than 70 or 80 microns, often less than 40 or 50 microns and typically the average particle diameter will be between 750 nanometers and 40 microns. Preferably the average particle size diameter is in the range 10 to 40 microns usually between 20 and 40 microns. Average particle size is determined by a Coulter particle size analyser according to standard procedures well documented in the literature.」（第７頁下から第２行〜第８頁第６行）
（当審訳：一般に、粒子の平均粒度直径は、約１００ミクロン未満である。通常、平均粒度直径はさらに小さくなる傾向があり、例えば７０又は８０ミクロン未満、しばしば４０又は５０ミクロン未満であり、典型的には、平均粒度直径は７５０ナノメートル〜４０ミクロンである。好ましくは、平均粒度直径は１０〜４０ミクロンの範囲内、通常は、２０〜４０ミクロンの範囲内である。平均粒度は、Ｃｏｕｌｔｅｒ粒度アナライザーによって、文献に充分に記録されている標準的な手段に従って測定される。）
　
（１ｄ）「The particles may entrap one or more colourants and the colourant may be any colourant, for instance a dye, pigment or lake. Typically suitable colourants include any organic or inorganic pigment or colourant approved for use in cosmetics by CTFA and the FDA such as lakes, iron oxides, titanium dioxide, iron sulphides or other conventional pigments used in cosmetic formulations. Examples of the pigment include an inorganic pigment such as carbon black, DC Red 7, calcium lake, DC Red 30, talc Lake, DC Red 6, barium lake, Russet iron oxide, yellow iron oxide, brown iron oxide, talc, kaolin, mica, mica titanium, red iron oxide, magnesium silicate and titanium oxide; and organic pigment such as Red No 202, Red No 204, Red No 205, Red No 206, Red No 219, Red No 228, Red No 404, Yellow No 205, Yellow No 401 , Orange No 401 and Blue No 404. Examples of oil soluble dyes include Red No 505, Red No 501 , Red No 225, Yellow No 404, Yellow No 405, Yellow No 204, Orange No 403, Blue No 403, Green No 202 and Purple No 201. Examples of vat dyes are Red No 226, Blue No 204 and Blue No 201. Examples of lake dye include various acid dyes which are laked with aluminium, calcium or barium.
 Conventional dyes may also be used and may be either oil or water soluble. Preferably the colourant is an aqueous solution of a water soluble dye. Suitable dyes for the present invention include FD  C Blue No 11 , FD  C Blue No 12, FD C Green No 13, FD  C Red No 13, FD  C Red No 140, FDC Yellow No. 15, FDC Yellow No. 16, DC Blue No. 14, DC Blue No. 19, DC Green No. 15, DC Green No. 16, DC Green No. 18, DC Orange No. 14, DC Orange No. 15, DC Orange No. 110, DC Orange No. 111 , DC Orange No. 117, FDC Red No. 14, DC Red No. 16, DC Red No. 17, DC Red No. 18, DC Red No. 19, DC Red No. 117, DC Red No. 119, DC Red No. 121 , DC Red No. 122, DC Red No. 127, DC Red No. 128, DC Red No. 130, DC Red No. 131 , DC Red No. 134, DC Red No. 139, FDC Red No. 140, DC Violet No. 12, DC Yellow No. 17, Ext. DC Yellow No. 17, DC Yellow No. 18, DC Yellow No. 111 , DC Brown No. 11 , Ext. DC Violet No. 12, DC Blue No. 16 and DC Yellow No. 110. Such dyes are well known, commercially available materials, with their chemical structure being described, e.g., in 21 C.F.R. Part 74 (as revised April 1 , 1988) and the CTFA Cosmetic Ingredient Handbook, (1988), published by the Cosmetics, Toiletry and Fragrancy Association, Inc. These publications are incorporated herein by reference.」（第１０頁下から第２行〜第１２頁第１行）
（当審訳：粒子は、１種以上の着色剤を取り込むことができ、着色剤は、任意の着色剤、例えば染料、顔料又はレーキであることができる。典型的に、適当な着色剤は、ＣＴＦＡ及びＦＤＡによって化粧料への使用が認可された、任意の有機若しくは無機の顔料又は着色剤、例えば、レーキ、酸化鉄、二酸化チタン、硫化鉄又は、化粧料配合物に用いられる、他の慣用的顔料を含む。顔料の例は、例えば、カーボンブラック、Ｄ＆Ｃ  Ｒｅｄ７、カルシウムレーキ、Ｄ＆Ｃ  Ｒｅｄ３０、タルクレーキ、Ｄ＆Ｃ  Ｒｅｄ６、バリウムレーキ、ラセット酸化鉄、イエロー酸化鉄、ブラウン酸化鉄、タルク、カオリン、マイカ、マイカチタン、レッド酸化鉄、ケイ酸マグネシウム及び酸化チタンのような無機顔料；及び例えばＲｅｄ  Ｎｏ．２０２、Ｒｅｄ  Ｎｏ．２０４、Ｒｅｄ  Ｎｏ．２０５、Ｒｅｄ  Ｎｏ．２０６、Ｒｅｄ  Ｎｏ．２１９、Ｒｅｄ  Ｎｏ．２２８、Ｒｅｄ  Ｎｏ．４０４、Ｙｅｌｌｏｗ  Ｎｏ．２０５、Ｙｅｌｌｏｗ  Ｎｏ．４０１、Ｏｒａｎｇｅ  Ｎｏ．４０１及びＢｌｕｅ  Ｎｏ．４０４のような有機顔料を含む。油溶性染料の例は、Ｒｅｄ  Ｎｏ．５０５、Ｒｅｄ  Ｎｏ．５０１、Ｒｅｄ  Ｎｏ．２２５、Ｙｅｌｌｏｗ  Ｎｏ．４０４、Ｙｅｌｌｏｗ  Ｎｏ．４０５、Ｙｅｌｌｏｗ  Ｎｏ．２０４、Ｏｒａｎｇｅ  Ｎｏ．４０３、Ｂｌｕｅ  Ｎｏ．４０３、Ｇｒｅｅｎ  Ｎｏ．２０２及びＰｕｒｐｌｅ  Ｎｏ．２０１を含む。バット染料の例は、Ｒｅｄ  Ｎｏ．２２６、Ｂｌｕｅ  Ｎｏ．２０４及びＢｌｕｅ  Ｎｏ．２０１である。レーキ染料の例は、アルミニウム、カルシウム又はバリウムでレーキ化された、種々な酸性染料を含む。
　慣用的な染料も用いることができ、このような染料は、油溶性又は水溶性のいずれでもよい。好ましくは、着色剤は、水溶性染料の水溶液である。本発明のために適当な染料は、ＦＤ＆Ｃ  Ｂｌｕｅ  Ｎｏ．１１、ＦＤ＆Ｃ  Ｂｌｕｅ  Ｎｏ．１２、ＦＤ＆Ｃ  Ｇｒｅｅｎ  Ｎｏ．１３、ＦＤ＆Ｃ  Ｒｅｄ  Ｎｏ．１３、ＦＤ＆Ｃ  Ｒｅｄ  Ｎｏ．１４０、ＦＤ＆Ｃ  Ｙｅｌｌｏｗ  Ｎｏ．１５、ＦＤ＆Ｃ  Ｙｅｌｌｏｗ  Ｎｏ．１６、Ｄ＆Ｃ  Ｂｌｕｅ  Ｎｏ．１４、Ｄ＆Ｃ  Ｂｌｕｅ  Ｎｏ．１９、Ｄ＆Ｃ  Ｇｒｅｅｎ  Ｎｏ．１５、Ｄ＆Ｃ  Ｇｒｅｅｎ  Ｎｏ．１６、Ｄ＆Ｃ  Ｇｒｅｅｎ  Ｎｏ．１８、Ｄ＆Ｃ  Ｏｒａｎｇｅ  Ｎｏ．１４、Ｄ＆Ｃ  Ｏｒａｎｇｅ  Ｎｏ．１５、Ｄ＆Ｃ  Ｏｒａｎｇｅ  Ｎｏ．１１０、Ｄ＆Ｃ  Ｏｒａｎｇｅ  Ｎｏ．１１１、Ｄ＆Ｃ  Ｏｒａｎｇｅ  Ｎｏ．１１７、ＦＤ＆Ｃ  Ｒｅｄ  Ｎｏ．１４、Ｄ＆Ｃ  Ｒｅｄ  Ｎｏ．１６、Ｄ＆Ｃ  Ｒｅｄ  Ｎｏ．１７、Ｄ＆Ｃ  Ｒｅｄ  Ｎｏ．１８、Ｄ＆Ｃ  Ｒｅｄ  Ｎｏ．１９、Ｄ＆Ｃ  Ｒｅｄ  Ｎｏ．１１７、Ｄ＆Ｃ  Ｒｅｄ  Ｎｏ．１１９、Ｄ＆Ｃ  Ｒｅｄ  Ｎｏ．１２１、Ｄ＆Ｃ  Ｒｅｄ  Ｎｏ．１２２、Ｄ＆Ｃ  Ｒｅｄ  Ｎｏ．１２７、Ｄ＆Ｃ  Ｒｅｄ  Ｎｏ．１２８、Ｄ＆Ｃ  Ｒｅｄ  Ｎｏ．１３０、Ｄ＆Ｃ  Ｒｅｄ  Ｎｏ．１３１、Ｄ＆Ｃ  Ｒｅｄ  Ｎｏ．１３４、Ｄ＆Ｃ  Ｒｅｄ  Ｎｏ．１３９、ＦＤ＆Ｃ  Ｒｅｄ  Ｎｏ．１４０、Ｄ＆Ｃ  Ｖｉｏｌｅｔ  Ｎｏ．１２、Ｄ＆Ｃ  Ｙｅｌｌｏｗ  Ｎｏ．１７、Ｅｘｔ．Ｄ＆Ｃ  Ｙｅｌｌｏｗ  Ｎｏ．１７、Ｄ＆Ｃ  Ｙｅｌｌｏｗ  Ｎｏ．１８、Ｄ＆Ｃ  Ｙｅｌｌｏｗ  Ｎｏ．１１１、Ｄ＆Ｃ  Ｂｒｏｗｎ  Ｎｏ．１１、Ｅｘｔ．Ｄ＆Ｃ  Ｖｉｏｌｅｔ  Ｎｏ．１２、Ｄ＆Ｃ  Ｂｌｕｅ  Ｎｏ．１６及びＤ＆Ｃ  Ｙｅｌｌｏｗ  Ｎｏ．１１０を含む。このような染料は、周知の、商業的に入手可能な物質であり、それらの化学構造は、例えば、21C.F.R.Part 74（１９８８年４月１日改正）及びＣＴＦＡ  Cosmetic Ingredient Handbook,（1988），Cosmetics Toiletry and Fragrancy Association, Inc.発行に記載されている。これらの刊行物は、本明細書に参照として組み込まれる。）
　
（１ｅ）「The following examples illustrate the invention. 
Example 1.- Preparation of Blue Dye Polymer Particles in Oil.
　An aqueous solution is formed by dissolving 10g of Cibracron Blue P2Rdye in 396g of 25% solution of a copolymer of styrene and ammonium acrylate and then addition of 9.9g of 50% ammonium zirconium carbonate. An oil solution is prepared by mixing 50g of 20% polymeric stabiliser , 89g of Kristol M 14 oil and 70.4g of Isopar G solvent. The aqueous solution is added to the agitated oil solution and then homogrenised with a high shear Silverson mixer to form a water-in-oil emulsion. After 15minutes of emulsification , extra 179g of Isopar G is added as a diluent . The resulting emulsion is transferred to a resin pot having vacuum distillation capabilities. The emulsion is warmed to 25℃ and water/lsopar G mixture distilled under reduced pressure a constant temperature of about 30℃. The volume of water and solvent is monitored and distillation continued until no further water is collected in the distillate and then temperature is allowed to rise to 100℃ under vacuum. The dried dye polymer particles in oil are then held at 100℃ for 60 minutes to drive off ammonia and crosslink the carboxylated styrene based matrix polymer to the water insoluble form. The contents of flask are cooled. The dispersion of Dye polymer particles inoil is stable and having an average of diameter of less than 2 microns.
Example 2. - Preparation of Red Dye Polymer Particles in Oil.
 Example 1 was repeated with the exception that 10g of a water soluble red was used in place of the Cibracron Blue dye. A red dye polymer particle dispersion in oil was obtained.
Example 3. - Preparation of Red Pigment Polymer Particles in OH.
 Example 1 was repeated with the exception that 10g of a red pigment was dispersed in the aqueous solution of the polymer solution. A dispersion in oil of red pigment encapsulated in a polymer matrix was obtained. 」（第１３頁最終行〜第１４頁最終行）
（当審訳：
実施例１  油中Ｂｌｕｅ染料ポリマー粒子の調製
Ｃｉｂｒａｃｒｏｎ  Ｂｌｕｅ  Ｐ２Ｒ染料１０ｇを、スチレンとアクリル酸アンモニウムとのコポリマーの２５％溶液３９６ｇ中に溶解し、次に、５０％炭酸ジルコニウムアンモニウム９．９ｇを添加して、水溶液を形成した。２０％ポリマー安定剤５０ｇ、Ｋｒｉｓｔｏｌ  Ｍ１４油８９ｇ及びＩｓｏｐａｒ  Ｇ溶媒７０．４ｇを混合して、油溶液を形成した。撹拌した油溶液に水溶液を加えて、次に、高剪断Ｓｉｌｖｅｒｓｏｎミキサーで均質化して、油中水滴エマルジョンを形成した。１５分間乳化させた後に、追加のＩｓｏｐａｒ  Ｇ１７９ｇを希釈剤として加えた。
　得られたエマルジョンを、真空蒸留機能を有する樹脂ポットに移した。エマルジョンを２５℃に温度上昇させ、水／Ｉｓｏｐａｒ  Ｇ混合物を減圧下、約３０℃の一定温度で蒸留した。水及び溶媒の量をチェックして、留出物中にもはや水が回収されなくなるまで、蒸留を続け、次に、温度を真空下で１００℃に上昇させた。油中の乾燥した染料ポリマー粒子を次に１００℃に６０分間維持して、アンモニアを除去し、カルボキシル化スチレンに基づくマトリックスポリマーを架橋させて、水不溶性の形態にした。
　フラスコの内容物を冷却した。油中の染料ポリマー粒子の分散液は、安定であり、２ミクロン未満の平均直径を有した。
実施例２  油中Ｒｅｄ染料ポリマー粒子の調製
　Ｃｉｂｒａｃｒｏｎ  Ｂｌｕｅ染料の代わりに水溶性レッド１０ｇを用いたこと以外は、実施例１を繰り返した。油中のレッド染料ポリマー粒子の分散液が得られた。
実施例３  油中Ｒｅｄ顔料ポリマー粒子の調製
　レッド顔料１０ｇをポリマー溶液の水溶液中に分散させたこと以外は、実施例１を繰り返した。ポリマーマトリックス中にカプセル封入されたレッド顔料の油中分散液が得られた。）
　
（イ）刊行物２に記載された事項
　本願の優先日前である１９８０年１１月６日に頒布された刊行物である特公昭５５−４３４４４号公報（以下、「刊行物２」という。）には、以下の事項が記載されている。
　
（２ａ）「本発明の化粧料の一般的製法は色素を予め公知の方法によって強固な皮膜で包被し、粒径１００μ以下好ましくは５μ以下の微粒子となし、この適量を化粧水、クリーム、白粉、口紅等の化粧料基材に配合するか又は化粧料基材を製造する工程で配合するものである。
　次に本発明の実施例を示す。配合される色素はすべてマイクロカプセル化されたものである。配合割合は重量％である。」（第３頁第５欄第２９〜３７行）
　
（２ｂ）「実施例５
粉白粉
Ａ　カオリン　　　　　　　　　　　　　　１０．０
　　亜鉛華　　　　　　　　　　　　　　　　５．０
　　ミリスチン酸亜鉛　　　　　　　　　　　５．０
　　炭酸マグネシウム　　　　　　　　　　　５．０
　　酸化チタン　　　　　　　　　　　　　　４．０
　　タルク　　　　　　　　　　　　　　　７０．０
Ｂ　色素（エオシンアルミニウムレーキ）　　０．１
　　色素（タートラジンアルミニウムレーキ）０．２
　　香料　　　　　　　　　　　　　　　　　０．７」
（第４頁第７欄第２９行〜第８欄第１０行）
　
（ウ）刊行物３に記載された事項
　本願の優先日前である１９８６年３月７日に頒布された刊行物である特開昭６１−４７４１０号公報（以下、「刊行物３」という。）には、以下の事項が記載されている。
　
（３ａ）「実施例２
　下記の配合によりファンデーションを調製した。
（Ａ）　ステアリン酸　　　　　　　　　　　　　　１．０重量％
　　　　鯨ロウ　　　　　　　　　　　　　　　　　３．０　〃
　　　　ベヘニルアルコール　　　　　　　　　　　０．６　〃
　　　　コレステリン　　　　　　　　　　　　　　０．２　〃
　　　　スクワラン　　　　　　　　　　　　　　　３．０　〃
　　　　ミリスチン酸オクチルドデシル　　　　　　７．０　〃
　　　　自己乳化型モノステアリン酸グルセリン　　２．０　〃
　　　　モノステアリン酸ポリエチレングリコール　１．０　〃
　　　　パラオキシ安息香酸ブチル　　　　　　　　０．１　〃
　　　　レシチン　　　　　　　　　　　　　　　　０．６　〃
（Ｂ）　グリセリン　　　　　　　　　　　　　　　７．０重量％
　　　　パラオキシ安息香酸メチル　　　　　　　　０．１　〃
　　　　精製水　　　　　　　　　　　　　　　　６２．２５〃
　　　　メタリン酸ナトリウム　　　　　　　　　　０．０５〃
　　　　参考例１で得たマイクロカプセル化顔料　　７．０　〃
　　　　参考例３で得たマイクロカプセル化顔料　　３．０　〃
　　　　タルク　　　　　　　　　　　　　　　　　２．０　〃
（Ｃ）　香料　　　　　　　　　　　　　　　　　　０．１重量％
・・・
実施例４
　下記の配合によりアイシャドーを調製した。
（１）参考例６で得たマイクロカプセル化顔料　　２０．０重量％
（２）参考例　で得たマイクロカプセル化顔料　　　７．０　〃
（３）黄酸化鉄　　　　　　　　　　　　　　　　　０．５　〃
（４）酸化チタン　　　　　　　　　　　　　　　　２．５　〃
（５）ステアリン酸マグネシウム　　　　　　　　　０．８　〃
（６）マイカ　　　　　　　　　　　　　　　　　５５．９重量％
（７）メチルポリシロキサン　　　　　　　　　　　４．０　〃
（８）スクワラン　　　　　　　　　　　　　　　　９．０　〃
（９）パラオキシ安息香酸ブチル　　　　　　　　　０．１　〃
（１０）パラオキシ安息香酸プロピル　　　　　　　０．１　〃
（１１）乳酸　　　　　　　　　　　　　　　　　　０．１　〃
・・・」（第７頁左下欄下から第２行〜第８頁左下欄下から第５行）
　
　
（３）刊行物１に記載された発明
　刊行物１の上記摘記事項（１ａ）には、請求項１９として、「化粧用に許容される基材と、請求項１〜８のいずれか１項記載のポリマー粒子、・・・を含む化粧用組成物」の発明が記載されているところ、請求項１９が引用する請求項８には、「着色剤が、染料、顔料又はレーキである、請求項１〜７のいずれか１項に記載のポリマー粒子」が記載されている。
　また、請求項８及び請求項１９が引用する請求項１には、「ポリマーマトリックス及びマトリックスの全体にわたって分配されている着色剤を含むポリマー粒子であって、ここでポリマーマトリックスは、エチレン性不飽和イオンモノマーである第１モノマーと５０℃超のガラス転移温度のホモポリマーを形成することができるエチレン性不飽和疎水性モノマーである第２モノマーとを含むモノマーのブレンドから形成されており、・・・ポリマー粒子」が記載され、請求項８及び請求項１９が引用する請求項４には、請求項１の「ポリマー粒子」について、「・・・、好ましくは５０ミクロン未満の平均粒度を有する」ことが記載されている。
　さらに、請求項８及び請求項１９が引用する請求項４〜６には、請求項１の「エチレン性不飽和イオンモノマーである第１モノマー」、「５０℃超のガラス転移温度のホモポリマーを形成することができるエチレン性不飽和疎水性モノマーである第２モノマー」について、それぞれ、「第２モノマーが、スチレン、・・・からなる群より選択される」こと、「第１モノマーが、エチレン性不飽和カルボン酸であり、揮発性対イオン成分がアンモニア又は揮発性アミンである」こと、「マトリックスポリマーが、スチレンとアクリル酸アンモニウムとのコポリマーであ」ることが記載されているから、「第１のモノマー」として「アクリル酸アンモニウム」、「第２のモノマー」として「スチレン」を用いることが記載されているといえる。
　
　そうすると、刊行物１には、
「化粧用に許容される基材と、
ポリマーマトリックス及びマトリックスの全体にわたって分配されている、染料、顔料又はレーキである着色剤を含むポリマー粒子であって、ここでポリマーマトリックスは、アクリル酸アンモニウムある第１モノマーとスチレンである第２モノマーとを含むモノマーのブレンドから形成されている、５０ミクロン未満の平均粒度を有するポリマー粒子を含む化粧用組成物」
の発明（以下「引用発明」という。）が記載されているといえる。
　
（４）対比
　本願補正発明と引用発明とを対比すると、引用発明の「化粧品組成物」は、本願補正発明の「パーソナルケア若しくは化粧品組成物」に相当する。
　
　引用発明の「染料、顔料又はレーキである着色剤」は、本願補正発明の「天然染料、合成染料、有機顔料又は無機顔料」に相当する。
　
　本願補正発明の「マイクロカプセル化着色剤」は「天然染料、合成染料、有機顔料又は無機顔料をカプセル化したポリマーマトリクス物質に含」むものであるといえる。引用発明の「ポリマー粒子」も、「染料、顔料又はレーキである着色剤を含む」ものであり、刊行物１の上記摘記事項（１ｂ）の「化粧料配合物に組み入れるためのポリマー粒子中に染料溶液を取り込む方法を提供する・・・、該染料は、永続的に取り込まれた状態であり、施用の前、中又は後に放出されない。さらに、着色剤のカプセル封入又は取り込み・・・」との記載、上記摘記事項（１ｄ）の「粒子は、１種以上の着色剤を取り込むことができ・・・」との記載、上記摘記事項（１ｅ）の実施例３の「ポリマーマトリックス中にカプセル封入されたレッド顔料の油中分散液が得られた」との記載からみて、「着色剤」を「ポリマーマトリックス」中に「カプセル封入」されたものといえるから、引用発明の「ポリマー粒子」は、本願補正発明の「マイクロカプセル化着色剤」に相当するといえる。
　
　引用発明の「スチレンである第２モノマー」は、本願補正発明の「スチレンである第二モノマー」と同じである。
　また、引用発明の「アクリル酸アンモニウムある第１モノマー」は、刊行物１の上記摘記事項（１ｅ）の実施例１の「スチレンとアクリル酸アンモニウムとのコポリマーの２５％溶液３９６ｇ中に溶解し・・・。・・・油中の乾燥した染料ポリマー粒子を次に１００℃に６０分間維持して、アンモニアを除去し、カルボキシル化スチレンに基づくマトリックスポリマーを架橋させて、水不溶性の形態にした」との記載からみて、「アクリル酸アンモニウム」の「アンモニア」が除去されて、「アクリル酸」になるものといえる。一方、本願補正発明の「（メタ）アクリル酸である第一モノマー」も、本願明細書の段落【００６４】〜【００６５】の「３９６ｇのスチレンとアンモニウムアクリレートのコポリマーの２５％溶液に１０ｇのＦＤ＆Ｃ青色１号を溶解し、・・・。・・・油中の乾燥させた染料ポリマー粒子を、それから、アンモニアの除去と、カルボキシル化スチレンベースのマトリクスポリマーを水に不溶な形態へと架橋させるために、１００℃で６０分間保持した」との記載からみて、モノマーとして「アンモニウムアクリレート」を用い「アンモニア」を除去するものであるから、引用発明の「アクリル酸アンモニウムある第１モノマー」は、本願補正発明の「（メタ）アクリル酸である第一モノマー」に相当するといえる。
　そして、引用発明の「アクリル酸アンモニウムある第１モノマーとスチレンである第２モノマーとを含むモノマーのブレンドから形成されている」「ポリマーマトリックス」は、本願補正発明の「（メタ）アクリル酸である第一モノマーと、スチレンである第二モノマーを含むモノマーのブレンドから形成され」た「ポリマーマトリクス物質」に相当するといえる。
　
　さらに、引用発明の「化粧品組成物」は「化粧用に許容される基材」を含むものであるところ、一般に、「化粧品組成物」は「化粧用に許容される基材」を含むものであるし、本願補正発明の「パーソナルケア若しくは化粧品組成物」も、本願明細書の段落【００５１】の「本発明によるパーソナルケア組成物は、組成物の総質量に基づいて、・・・マイクロカプセル化着色剤、及び、美容上容認できるキャリヤ及び補助剤を含む。水が美容上容認でき、ほとんどの場合に水もまた存在するが、用語「美容上容認できるキャリヤ及び補助剤」は、パーソナルケア又は化粧品組成物に習慣的に使用される、水以外の少なくとも一種の物質を示すことを意味する」、段落【００５４】の「油中水型又は水中油型エマルジョンとして、美容上容認できる補助剤は、・・・油相、・・・乳化剤及び・・・水を含む。油相は、たとえば一種以上の炭化水素油、ワックス、天然油、シリコン油、脂肪酸エステル又は脂肪族アルコールなどの、化粧品配合物に対して適切な油のいずれをも含み得る」、段落【００５５】の「化粧品液体は、エタノール、イソプロパノール、プロピレングリコール、ヘキシレングリコール、グリセロール又はソルビトールといった、モノオール又はポリオールを含み得る」、段落【００５６】の「本発明による化粧品配合物は、広く様々な化粧品製剤に含まれ得る。・・・」との記載からみて、「化粧用に許容される基材」を含む態様を包含しているといえる。
　
　したがって、両者は、
「マイクロカプセル化着色剤を含むパーソナルケア若しくは化粧品組成物であって、
該マイクロカプセル化着色剤は、天然染料、合成染料、有機顔料又は無機顔料をカプセル化したポリマーマトリクス物質に含み、
前記ポリマーマトリクス物質は、（メタ）アクリル酸である第一モノマーと、スチレンである第二モノマーを含むモノマーのブレンドから形成された組成物。」
　
という点で一致するが、以下の点で相違する。
　
相違点１：「マイクロカプセル化着色剤」について、本願補正発明では、「パーソナルケア若しくは化粧品組成物」中に、「ブレンド」として含み、「マイクロカプセル化着色剤のブレンドは赤色、黄色及び青色の原色より選択された互いに別個である少なくとも二色のマイクロカプセル着色剤のブレンドである」のに対し、引用発明では、「ポリマー粒子」をブレンドとすることについて規定されていない点。
　
相違点２：「マイクロカプセル化着色剤」の「粒子サイズ」が、本願補正発明は、「１乃至５０ミクロン」であるのに対し、引用発明では、「５０ミクロン未満の平均粒度を有する」ものである点。
　
（５）判断
（ア）相違点１について
　刊行物１の上記摘記事項（１ｄ）には、着色剤として、「Ｂｌｕｅ」、「Ｒｅｄ」、「Ｙｅｌｌｏｗ」のものを用いることができることが記載されており、上記摘記事項（１ｅ）の実施例１には「Ｂｌｕｅ染料のポリマー粒子」が、実施例２には「Ｒｅｄ染料のポリマー粒子」、実施例３には「Ｒｅｄ顔料ポリマー粒子」と、色の三原色である青、赤の着色剤を含む「ポリマー粒子」の実施例が記載されている。
　
　また、刊行物２の上記摘記事項（２ａ）〜（２ｂ）、刊行物３の上記摘記事項（３ａ）にも記載されているように、化粧品において、マイクロカプセル化した着色剤を複数配合して調色することは、本願の優先日前から行われていたことといえる。
　
　さらに、化粧料において、色の三原色の赤、黄、青の着色料を用いて、色を調製することも、本願の優先日から一般的に行われていたことである（この点について、特開２００２−２６５３３２号公報の特許請求の範囲及び段落【０００４】、特開平７−２５８０２５号公報の段落【０００２】〜【０００４】、特開平６−３３６４１１号公報の段落【００１４】を参照）。
　
　そうすると、引用発明において、「染料、顔料又はレーキである着色剤を含む」「ポリマー粒子」、すなわち「マイクロカプセル着色剤を、化粧料の種類に合わせてよりよく色を調製するために、「赤色、黄色及び青色の原色より選択された互いに別個である少なくとも二色のマイクロカプセル着色剤のブレンド」として用いることは当業者が容易に想到し得たことといえる。
　
（イ）相違点２について
　引用発明は、「ポリマー粒子」として、「５０ミクロン未満の平均粒度を有する」ものを用いるものであり、刊行物１の上記摘記事項（１ｃ）には、「粒子の平均粒度直径は、・・・、典型的には、平均粒度直径は７５０ナノメートル〜４０ミクロンである。好ましくは、平均粒度直径は１０〜４０ミクロンの範囲内、通常は、２０〜４０ミクロンの範囲内である」と記載され、上記摘記事項（１ｅ）の実施例１では、「染料ポリマー粒子」として「２ミクロン未満の平均直径」を有するものを製造している。
　また、刊行物２の上記摘記事項（２ａ）には、マイクロカプセル化した色素について、「粒径１００μ以下好ましくは５μ以下の微粒子とな」すことが記載されている。
　
　さらに、本願補正発明の「マイクロカプセル化着色剤」の「粒子サイズ」を「１乃至５０ミクロン」とすることについて、本願明細書には、段落【００１８】〜【００１９】に「一般に、該粒子の平均粒子サイズの直径は約１００ミクロン未満である。通常、平均粒子サイズの直径はより小さくなる傾向があり、たとえば７０又は８０ミクロン未満、しばしば４０又は５０ミクロン未満、該して、平均粒子直径は７５０ナノメーター乃至４０ミクロンである。好ましくは、平均粒子サイズの直径は１０乃至４０ミクロン、通常、２０乃至４０ミクロンの範囲にある。平均粒子サイズは、文献内に十分に記録されている標準的な手法による、コールター粒子サイズ分析器によって測定される」、段落【００５２】に「０．１乃至５０ミクロン、たとえば５乃至４０ミクロン、特に１０乃至３０ミクロンのマイクロカプセル化微粒子の平均直径が好まれる」と記載するのみであり、本願補正発明の「マイクロカプセル化着色剤」の「粒子サイズ」を「１乃至５０ミクロン」とすることの技術的意義は明らかではない。
　
　そうすると、引用発明において、「ポリマー粒子」の粒径を「１乃至５０ミクロン」とすることは当業者が適宜に決定し得た事項であるといえる。
　
（ウ）本願補正発明の効果について
　本願補正発明の効果は、本願明細書の段落【００１２】に記載のとおり、「本発明の第一の局面によるマイクロカプセル化粒子、及び、第二の局面による前記方法に由来する製品は、視覚的なパフォーマンスを増強させ、さらには、前記ポリマーマトリクスが長期使用下にあっても、捕捉着色剤のいずれも放出をさせない」ことであるといえる。
　しかしながら、引用発明の「ポリマー粒子」について、刊行物１の上記摘記事項（１ｂ）には、「本発明の目的は、長期間の使用後にも着色剤が浸出しない、着色剤を取り込んだポリマー提供することである。特に好ましくは、化粧料配合物に組み入れるためのポリマー粒子中に染料溶液を取り込む方法を提供することであり、この場合に、該染料は、永続的に取り込まれた状態であり、施用の前、中又は後に放出されない」、「改良された視覚的効果を生じる着色剤取り込みポリマー」と記載されているから、本願補正発明の効果は当業者が予測し得る程度のものといえる。
　
（６）その他
　請求人は、平成２１年９月４日付け審判請求書において、引用文献１（上記「刊行物１」と同じ。）について「同文献は、着色剤を含むポリマー粒子を２種類（２色）以上のブレンドとして用いる点については何ら記載されておらず、ましてや、赤色、黄色及び青色の原色の色素をそれぞれ別個に含む三種のポリマー粒子より選択された、互いに別個である少なくとも二色の着色剤を含むポリマー粒子のブレンドを用いる点を示唆する記載も一切ない」、引用文献２（上記「刊行物２」と同じ。）及び引用文献３（上記「刊行物３」と同じ。）について「しかしながらこれら文献には、赤色、黄色及び青色の原色の色素をそれぞれ別個にマイクロカプセル化した着色剤より選択された、互いに別個である少なくとも二色のマイクロカプセル着色剤のブレンドを用いる点を示唆する記載は一切ない」と主張する。
　しかしながら、上記（５）（ア）で検討したとおり、化粧料において、色の三原色の赤、黄、青の着色料を用いて色を調製することは、本願の優先日から一般的に行われていたことであるから、引用発明において、「マイクロカプセル着色剤を、化粧料に合わせてよりよく色を調製するために、「赤色、黄色及び青色の原色より選択された互いに別個である少なくとも二色のマイクロカプセル着色剤のブレンド」として用いることは当業者が容易に想到し得たことといえる。
　
　なお、請求人は、平成２３年１２月２１日付け回答書において、特許請求の範囲を
「【請求項１】 
マイクロカプセル化着色剤のブレンドを含むパーソナルケア若しくは化粧品組成物であって、 
前記マイクロカプセル化着色剤は１乃至５０ミクロンの粒子サイズを有し、該マイクロカプセル化着色剤は、天然染料、合成染料、有機顔料又は無機顔料をカプセル化したポリマーマトリクス物質に含み、 
前記ポリマーマトリクス物質は、（メタ）アクリル酸である第一モノマーと、スチレンである第二モノマーを含むモノマーのブレンドから形成され、 
及び、前記マイクロカプセル化着色剤のブレンドは赤色、黄色及び青色の原色より選択された互いに別個である少なくとも二色のマイクロカプセル着色剤のブレンドであり、 
組成物の総質量に基づいて、０．１乃至３５質量％の前記マイクロカプセル化着色剤のブレンドを含み、そして 
油中水型又は水中油型エマルジョンとして、アルコール性又はアルコール含有配合物として、イオン性又は非イオン性両親媒性脂質の小胞性分散液として、ゲルとして、又は固形スティックとして処方されるところの組成物。」と補正する補正案、すなわち、本願補正発明に、（ａ）「組成物の総質量に基づいて、０．１乃至３５質量％の前記マイクロカプセル化着色剤のブレンドを含」むこと、（ｂ）「油中水型又は水中油型エマルジョンとして、アルコール性又はアルコール含有配合物として、イオン性又は非イオン性両親媒性脂質の小胞性分散液として、ゲルとして、又は固形スティックとして処方される」ことの構成を追加した補正案を提示している。
　しかしながら、（ａ）「組成物の総質量に基づいて、０．１乃至３５質量％の前記マイクロカプセル化着色剤のブレンドを含」むことについて、刊行物２の上記摘記事項（２ａ）及び（２ｂ）には、マイクロカプセル化した色素を「０．３重量％」配合した「粉白粉」が記載されており、刊行物３の上記摘記事項（３ａ）には、実施例２として「マイクロカプセル化顔料」を合計で「１０．０重量％」配合した「ファンデーション」が、実施例４として「マイクロカプセル化顔料」を合計で「２７．０重量％」配合した「アイシャドウ」が記載されているから、「マイクロカプセル化着色剤のブレンド」の配合量を「０．１乃至３５質量％」とすることは格別な範囲ということはできず、当業者が適宜に決定し得る事項であるといえる。
　また、（ｂ）「油中水型又は水中油型エマルジョンとして、アルコール性又はアルコール含有配合物として、イオン性又は非イオン性両親媒性脂質の小胞性分散液として、ゲルとして、又は固形スティックとして処方される」ことについても、一般に、化粧料組成物は、「油中水型又は水中油型エマルジョン」、「アルコール性又はアルコール含有配合物」、「小胞性分散液」、「ゲル」、「固形スティック」の形態で処方されるものである。
　したがって、上記補正案も採用することはできない。
　
（７）まとめ
　したがって、本願補正発明は、刊行物１〜３に記載された発明及び周知技術に基づいて、その出願前にその発明の属する技術の分野における通常の知識を有する者が容易に発明をすることができたものであるから、特許法第２９条第２項の規定により特許を受けることができない。
　
３　むすび
　以上のとおり、上記補正は、平成１８年改正前特許法第１７条の２第５項において準用する同法第１２６条第５項の規定に違反するので、本件補正は、その余のことを検討するまでもなく、同法第１５９条第１項において読み替えて準用する同法第５３条第１項の規定により却下すべきものである。
　
第３　本願発明について
１　本願発明
　平成２１年９月４日付け手続補正書は、上記のとおり却下されたので、本願の請求項１〜３に係る発明は、平成２１年４月２７日付け手続補正書の特許請求の範囲の請求項１〜３に記載された事項により特定されるものであり、そのうち請求項１に係る発明（以下「本願発明」という。）は、以下のとおりである。
　
「マイクロカプセル化着色剤のブレンドを含むパーソナルケア若しくは化粧品組成物であって、前記マイクロカプセル化着色剤は１乃至５０ミクロンの粒子サイズを有し、
該マイクロカプセル化着色剤は、天然染料、合成染料、有機顔料、無機顔料をカプセル化したポリマーマトリクス物質に含み、
前記ポリマーマトリクス物質は、（メタ）アクリル酸、マレイン酸、無水マレイン酸、イタコン酸、無水イタコン酸、クロトン酸、（メタ）アリルスルホン酸、ビニルスルホン酸及び２−アクリルアミド−２−メチルプロパンスルホン酸からなる群から選択されるエチレン性不飽和アニオン性モノマーである第一モノマーと、スチレン、メチルメタクリレート、第三ブチルメタクリレート、フェニルメタクリレート、シクロヘキシルメタクリレート及びイソボルニルメタクリレートからなる群から選択されるエチレン性不飽和疎水性モノマーである第二モノマーを含むモノマーのブレンドから形成され、
及び、前記マイクロカプセル化着色剤のブレンドは赤色、黄色及び青色の原色より選択された少なくとも二色の互いに別個であるマイクロカプセル化着色剤のブレンドであるところの組成物。」
　
２　原査定の概要
　原査定における拒絶の理由の概要は、本願発明は、その出願前に頒布された以下の刊行物である引用文献１〜３に記載された発明に基づいて、その出願前にその発明の属する技術の分野における通常の知識を有する者が容易に発明をすることができたものであるから、特許法第２９条第２項の規定により特許を受けることができないとすることを含むものである。
　
１.国際公開第０２／０９０４４５号（上記「刊行物１」と同じ。）
２.特公昭５５−０４３４４４号公報（上記「刊行物２」と同じ。）
３.特開昭６１−０４７４１０号公報（上記「刊行物３」と同じ。）
　
３　引用文献及び引用発明
　原査定の拒絶の理由に引用された引用文献１〜３（「刊行物１〜３」と同じ）の記載事項は、「第２　平成２１年９月４日付け手続補正についての補正却下の決定」の「２　補正の適否」の「（２）刊行物に記載された事項」に記載したとおりであり、引用発明は同「（３）刊行物１に記載された発明」に記載したとおりである。
　
４　対比・判断
　前記「第２　平成２１年９月４日付け手続補正についての補正却下の決定」の「２　補正の適否」の「（１）補正の目的の適否」で検討したように、本願補正発明は、本願発明を特定するために必要な事項を限定したものであるから、本願発明は本願補正発明を包含するものである。
　
　そうすると、本願発明の構成要件の全てを含み、さらに構成要件を減縮したものに相当する本願補正発明は、前記「第２　平成２１年９月４日付け手続補正についての補正却下の決定」の「２　補正の適否」の「（４）対比」〜「（５）判断」に記載したとおり、刊行物１〜３に記載された発明に基づいて、その出願前にその発明の属する技術の分野における通常の知識を有する者が容易に発明をすることができたものであるから、これを包含する本願発明も、同様の理由により、本願の出願前に頒布された刊行物１〜３に記載された発明に基づいて、その出願前にその発明の属する技術の分野における通常の知識を有する者が容易に発明をすることができたものである。
　
５　むすび
　以上のとおり、本願発明は、特許法第２９条第２項の規定により、特許を受けることができないものであるから、その余のことについて検討するまでもなく、本願は拒絶すべきものである。
　よって、結論のとおり審決する。